(57)【特許請求の範囲】
【請求項１】
（ａ）媒体をセットするための媒体載置部と、
（ｂ）該媒体載置部にセットされた媒体を媒体搬送路に給紙するための給紙ローラとを有するとともに、
（ｃ）前記媒体載置部は、第１のトレイ、並びに該第１のトレイに対して移動自在に配設され、セットされた媒体を支持する支持位置、及び該支持位置から退避させられる退避位置を採る第２のトレイを備え、
（ｄ）前記第１のトレイの所定の箇所に媒体セット情報が表示され、
（ｅ）前記第２のトレイにおける、前記媒体セット情報が表示された位置と対応する位置に目視孔が形成され、
（ｆ）前記第２のトレイが支持位置に置かれると、第１のトレイに表示された媒体セット情報が直接目視され、
（ｇ）前記第２のトレイが退避位置に置かれると、第２のトレイが支持位置に置かれたときに直接目視された前記媒体セット情報が前記目視孔を介して目視されることを特徴とする媒体搬送装置。
【請求項２】
前記第１のトレイに表示された媒体セット情報は、前記第２のトレイが支持位置及び退避位置のいずれに置かれても、第１のトレイの所定の箇所で目視される請求項１に記載の媒体搬送装置。
【請求項３】
前記第２のトレイは、第１のトレイに対して揺動自在に支持され、退避位置において第１のトレイと重ねられる請求項１又は２に記載の媒体搬送装置。
【請求項４】
前記媒体セット情報は、第１のトレイの幅方向及び長さ方向におけるほぼ中央部に表示される請求項１〜３のいずれか１項に記載の媒体搬送装置。
【請求項５】
前記媒体セット情報は、媒体のセット方向を示すマークであり、刻印によって表示される請求項１〜４のいずれか１項に記載の媒体搬送装置。
【請求項６】
前記請求項１〜５のいずれか１項に記載の媒体搬送装置が搭載された画像形成装置。
【発明の詳細な説明】
【技術分野】
【０００１】
本発明は、媒体搬送装置及び画像形成装置に関するものである。
【背景技術】
【０００２】
従来、プリンタ、複写機、ファクシミリ、複合機等の画像形成装置、例えば、電子写真式のプリンタは、媒体としての用紙に対して印刷を行うために、用紙カセット、画像形成ユニット、転写ローラ、定着器等を備え、画像形成ユニットにおいて感光体ドラム上にトナー像が形成される。前記用紙カセットから給紙された用紙は、画像形成ユニットの感光体ドラムと転写ローラとの間に形成された転写部に送られ、該転写部においてトナー像が転写され、定着器においてトナー像が定着させられる。
【０００３】
また、前記プリンタには、薄紙、厚紙、幅狭紙、長尺紙、葉書、封筒等のような、用紙カセットに収容することができない特殊な用紙に対して印刷を行うために、プリンタの筐体の前壁又は側壁に、給紙用の媒体搬送装置が配設される。
【０００４】
該媒体搬送装置は、プリンタの筐体に対して開閉自在に配設された給紙トレイ、該給紙トレイに載置された用紙を給紙するための給紙ローラ等を備える。
【０００５】
前記給紙トレイは、プリンタの本体、すなわち、装置本体に対して揺動自在に支持された主トレイ、該主トレイに対して挿脱自在に配設された載置トレイ、該載置トレイに対して折畳み自在に配設された補助トレイ等を備える。そして、前記給紙トレイを開いた状態で主トレイから載置トレイを抜き出し、主トレイ及び載置トレイ上に用紙を載置したり、主トレイから載置トレイを抜き出して補助トレイを伸展させ、主トレイ、載置トレイ及び補助トレイ上に用紙を載置したりすることによって、用紙を給紙トレイにセットすることができる（例えば、特許文献１参照。）。
【０００６】
ところで、前記特殊な用紙は、印刷の向きに応じた適正な方向に向けて給紙トレイにセットする必要がある。例えば、封筒に対して印刷を行う場合、封筒を、フラップが適正な方向に向くように給紙トレイにセットしないと、あて先等を適正に印刷することができない。
【０００７】
そこで、前記給紙トレイの所定の箇所に表示部を設定し、該表示部に、用紙を給紙トレイにセットする方向、すなわち、セット方向を指示するラベルを貼付することによって、プリンタの操作者に対し、セット方向について注意を促すようにしている。
【先行技術文献】
【特許文献】
【０００８】
【特許文献１】特開２０１１−１３６８４２号公報
【発明の概要】
【発明が解決しようとする課題】
【０００９】
しかしながら、前記従来の給紙トレイにおいては、補助トレイを伸展させたり、折り畳んだりすると、前記ラベルが見えなくなってしまう。
【００１０】
補助トレイを伸展した状態、及び折り畳んだ状態のいずれにおいてもラベルが見えるようにするためには、ラベルを２枚貼付する必要があり、プリンタのコストが高くなってしまう。
【００１１】
本発明は、前記従来のプリンタの問題点を解決して、給紙トレイに対して媒体を適正にセットすることができ、コストを低くすることができる媒体搬送装置及び画像形成装置を提供することを目的とする。
【課題を解決するための手段】
【００１２】
そのために、本発明の媒体搬送装置においては、媒体をセットするための媒体載置部と、該媒体載置部にセットされた媒体を媒体搬送路に給紙するための給紙ローラとを有する。
【００１３】
そして、前記媒体載置部は、第１のトレイ、並びに第１のトレイに対して移動自在に配設され、セットされた媒体を支持する支持位置、及び該支持位置から退避させられる退避位置を採る第２のトレイを備える。
【００１４】
また、前記第１のトレイの所定の箇所に媒体セット情報が表示される。
そして、前記第２のトレイにおける、前記媒体セット情報が表示された位置と対応する位置に目視孔が形成される。
【００１５】
また、前記第２のトレイが支持位置に置かれると、第１のトレイに表示された媒体セット情報が直接目視される。
そして、前記第２のトレイが退避位置に置かれると、第２のトレイが支持位置に置かれたときに直接目視された前記媒体セット情報が前記目視孔を介して目視される。
【発明の効果】
【００１６】
本発明によれば、媒体搬送装置においては、媒体をセットするための媒体載置部と、該媒体載置部にセットされた媒体を媒体搬送路に給紙するための給紙ローラとを有する。
【００１７】
そして、前記媒体載置部は、第１のトレイ、並びに第１のトレイに対して移動自在に配設され、セットされた媒体を支持する支持位置、及び該支持位置から退避させられる退避位置を採る第２のトレイを備える。
【００１８】
また、前記第１のトレイの所定の箇所に媒体セット情報が表示される。
そして、前記第２のトレイにおける、前記媒体セット情報が表示された位置と対応する位置に目視孔が形成される。
【００１９】
また、前記第２のトレイが支持位置に置かれると、第１のトレイに表示された媒体セット情報が直接目視される。
そして、前記第２のトレイが退避位置に置かれると、第２のトレイが支持位置に置かれたときに直接目視された前記媒体セット情報が前記目視孔を介して目視される。
【００２０】
この場合、前記第２のトレイが支持位置に置かれると、第１のトレイに表示された媒体セット情報が直接目視され、前記第２のトレイが退避位置に置かれると、第２のトレイが支持位置に置かれたときに直接目視された前記媒体セット情報が前記目視孔を介して目視されるので、第２のトレイが支持位置及び退避位置のいずれに置かれても、操作者は媒体セット情報を目視することができる。したがって、媒体載置部に対して媒体を適正にセットすることができる。
【００２１】
また、媒体セット情報を第１のトレイだけに表示すればよいので、画像形成装置のコストを低くすることができる。
【図面の簡単な説明】
【００２２】
【図１】本発明の実施の形態における載置トレイに対して補助トレイを伸展させた状態を示す図である。
【図２】本発明の実施の形態におけるプリンタの概略図である。
【図３】本発明の実施の形態におけるプリンタの第１の斜視図である。
【図４】本発明の実施の形態におけるプリンタの第２の斜視図である。
【図５】本発明の実施の形態におけるプリンタの第３の斜視図である。
【図６】本発明の実施の形態における載置トレイに対して補助トレイを半ば伸展させた状態を示す図である。
【図７】本発明の実施の形態における載置トレイに対して補助トレイを折り畳んだ状態を示す図である。
【発明を実施するための形態】
【００２３】
以下、本発明の実施の形態について図面を参照しながら詳細に説明する。この場合、画像形成装置としてのプリンタについて説明する。
【００２４】
図２は本発明の実施の形態におけるプリンタの概略図である。
【００２５】
図において、１１はプリンタ、Ｃｓは該プリンタ１１の筐体、１０１はプリンタ１１の本体、すなわち、装置本体内の下部に配設された媒体収容部としての用紙カセット、１０２は、用紙カセット１０１の前端に配設され、用紙カセット１０１に収容された媒体としての用紙Ｐを媒体搬送路Ｒｔ１に給紙するためのホッピングローラ、１１０は筐体Ｃｓに対して開閉自在に配設され、用紙Ｐをセットするための媒体載置部としての給紙トレイ、１５は給紙トレイ１１０の前端に配設され、給紙トレイ１１０にセットされた用紙Ｐを媒体搬送路Ｒｔ２に給紙するための給紙ローラ、１６はレジストローラ対である。前記媒体搬送路Ｒｔ２は前記媒体搬送路Ｒｔ１におけるレジストローラ対１６より上流側において媒体搬送路Ｒｔ１と合流させられる。なお、前記給紙トレイ１１０、給紙ローラ１５等によって給紙用の媒体搬送装置が構成される。
【００２６】
前記給紙トレイ１１０は、一般的にＭＰＴ（Ｍｕｌｔｉ  Ｐｕｒｐｏｓｅ  Ｔｒａｙ）又は手差しトレイと呼ばれ、筐体Ｃｓに対して開閉自在に配設され、開かれた状態で、薄紙、厚紙、幅狭紙、長尺紙、葉書、封筒等のような、用紙カセット１０１に収容することができない特殊な用紙がセットされる。
【００２７】
前記レジストローラ対１６は、前記用紙カセット１０１又は給紙トレイ１１０から供給された用紙Ｐを一時的に停止させ、斜行を矯正する。
【００２８】
また、１７は前記媒体搬送路Ｒｔ１における前記レジストローラ対１６より下流側に配設された画像形成ユニットであり、該画像形成ユニット１７は、像担持体としての感光体ドラム１８、該感光体ドラム１８の表面を一様に帯電させる帯電装置としての図示されない帯電ローラ、前記感光体ドラム１８の表面に形成された潜像としての静電潜像に現像剤としてのトナーを付着させて、感光体ドラム１８上に現像剤像としてのトナー像を形成する現像剤担持体としての図示されない現像ローラ、トナーを前記現像ローラに供給する現像剤供給部材としての図示されないトナー供給ローラ等を備える。
【００２９】
そして、１０６は、前記帯電ローラによって帯電させられた感光体ドラム１８の表面を露光して静電潜像を形成するために、感光体ドラム１８の上方に、感光体ドラム１８と対向させて配設された露光装置としての、かつ、印刷ヘッドとしてのＬＥＤヘッド、１９は前記感光体ドラム１８の下方に、感光体ドラム１８と対向させて配設された転写部材としての転写ローラである。
【００３０】
前記用紙カセット１０１から供給された用紙Ｐは、前記媒体搬送路Ｒｔ１における、感光体ドラム１８と転写ローラ１９との間に形成された転写部ｑ１を矢印Ａ方向に通過し、前記転写部ｑ１において、転写ローラ１９によって感光体ドラム１８上のトナー像が用紙Ｐに転写される。
【００３１】
そのために、図示されない電源装置によって、感光体ドラム１８上に形成されたトナー像の極性と逆の極性の電圧が発生させられ、転写ローラ１９に印加される。
【００３２】
また、２０は、媒体搬送路Ｒｔ１における画像形成ユニット１７及び転写ローラ１９より下流側に配設された定着装置としての定着器であり、該定着器２０は、第１の定着部材としての定着ローラ２１、及び該定着ローラ２１と対向させて、図示されない押圧部材によって定着ローラ２１に押し付けて配設された第２の定着部材としての加圧ローラ２２を備え、前記定着ローラ２１内に加熱体としての、かつ、定着熱発生器としてのヒータ２１ａが配設される。
【００３３】
トナー像が転写された用紙Ｐは、定着器２０に送られ、該定着器２０においてトナー像が加熱され、加圧されて用紙Ｐに定着させられる。
【００３４】
なお、前記画像形成ユニット１７、ＬＥＤヘッド１０６、転写ローラ１９、定着器２０等によって、用紙Ｐに画像を形成することにより印刷を行うための印刷装置が構成される。本実施の形態においては、モノクロの印刷を行うために画像形成ユニット１７においてブラックのトナー像が形成されるようになっているが、カラーの印刷を行うために、ブラック、イエロー、マゼンタ及びシアンの各色の画像形成ユニットを配設し、各画像形成ユニットにおいて各色のトナー像を形成することができる。
【００３５】
そして、２３は前記媒体搬送路Ｒｔ１における定着器２０より下流側に配設された搬送部材としての搬送ローラ対、２４は前記媒体搬送路Ｒｔ１における搬送ローラ対２３より下流側に配設された排出部材としての排出ローラ対である。トナー像が定着させられた用紙Ｐは、搬送ローラ対２３によって搬送され、排出ローラ対２４によって装置本体外に排出され、筐体Ｃｓに形成されたスタッカ１０８に積載される。
【００３６】
前記給紙トレイ１１０は、装置本体に対して揺動自在に支持され、給紙トレイ１１０の揺動に伴って揺動させられる主トレイ１２、該主トレイ１２に対して移動自在、本実施の形態においては、挿脱自在に配設された第１のトレイとしての載置トレイ１３、該載置トレイ１３に対して折畳み自在に配設された第２のトレイとしての補助トレイ１４等から成る。そして、前記給紙トレイ１１０を開いた状態で主トレイ１２から載置トレイ１３を抜き出し、主トレイ１２及び載置トレイ１３上に用紙Ｐを載置したり、主トレイ１２から載置トレイ１３を抜き出して補助トレイ１４を伸展させ、主トレイ１２、載置トレイ１３及び補助トレイ１４上に用紙Ｐを載置したりすることによって、用紙Ｐを給紙トレイ１１０にセットすることができる。
【００３７】
次に、給紙トレイ１１０の動作について説明する。
【００３８】
図３は本発明の実施の形態におけるプリンタの第１の斜視図、図４は本発明の実施の形態におけるプリンタの第２の斜視図、図５は本発明の実施の形態におけるプリンタの第３の斜視図である。
【００３９】
図において、１１はプリンタ、Ｃｓは筐体であり、該筐体Ｃｓは、前壁Ｗｆ、側壁Ｗｓ１、Ｗｓ２、背壁Ｗｒ及び頂壁Ｗｔを備え、前記前壁Ｗｆに、矩形の形状を有する給紙開口１１５が形成され、給紙トレイ１１０は開閉に伴って給紙開口１１５を選択的に覆う。また、前記頂壁Ｗｔにスタッカ１０８、及び用紙Ｐの排出口１０９が形成される。そして、側壁Ｗｓ２の下端部に電源をオン・オフさせるためのスイッチ１１１が配設される。さらに、頂壁Ｗｔにおけるスタッカ１０８と隣接する箇所に、操作者がプリンタ１１を操作するための操作部１１２が形成される。該操作部１１２は、スイッチ、ボタン等から成る操作要素１１３、及びＬＥＤ画面等から成る表示要素１１４を備える。
【００４０】
前記給紙トレイ１１０は、主トレイ１２、載置トレイ１３及び補助トレイ１４を備える。前記主トレイ１２は、矩形の形状を有し、前記給紙開口１１５の下縁の両端に形成された軸ｓｈ１を中心に装置本体によって揺動自在に支持され、給紙トレイ１１０を開閉するのに伴って開閉される。そして、主トレイ１２が開かれた状態で給紙開口１１５を介して装置本体内外が連通させられ、主トレイ１２が閉じられた状態で装置本体内外が遮断される。
【００４１】
前記主トレイ１２の上面に、用紙Ｐの幅方向において摺動自在に一対の媒体規制部材１２１、１２２が配設される。該媒体規制部材１２１、１２２は、ラックアンドピニオン機構によって互いに連結され、一方の媒体規制部材１２１が主トレイ１２の一端側に移動させられると、他方の媒体規制部材１２２が主トレイ１２の他端側に移動させられ、一方の媒体規制部材１２１が主トレイ１２の中央側に移動させられると、他方の媒体規制部材１２２が主トレイ１２の中央側に移動させられ、用紙Ｐの幅方向の寸法に応じて移動させられ、用紙Ｐを幅方向における中央に位置決めするとともに、用紙Ｐの移動を規制する。
【００４２】
また、前記主トレイ１２における後端面（軸ｓｈ１から離れる側の端面）に挿脱口ｈ１が形成され、前記載置トレイ１３は、主トレイ１２が開かれた状態で挿脱口ｈ１を介して主トレイ１２に対して挿脱される。
【００４３】
前記補助トレイ１４は、載置トレイ１３における後端（軸ｓｈ１から離れる側の端部）の両端に形成された軸ｓｈ２を中心に揺動自在に支持され、載置トレイ１３が引き出された状態で、載置トレイ１３に対して伸展させて、給紙トレイ１１０にセットされた用紙Ｐを支持する支持位置に置かれ、折り畳まれて、支持位置から退避させられる退避位置に置かれる。
【００４４】
用紙Ｐを給紙トレイ１１０にセットするに当たり、操作者は、主トレイ１２を図３の矢印Ｂ方向に回動させることによって開き、主トレイ１２が開かれた状態、すなわち、ほぼ水平に置かれた状態で、載置トレイ１３を図４の矢印Ｃ方向に移動させることによって主トレイ１２から引き出し、載置トレイ１３が抜き出された状態で、補助トレイ１４を図５の矢印Ｄ方向に回動させることによって載置トレイ１３に対して伸展させることができる。
【００４５】
前記主トレイ１２から載置トレイ１３を抜き出し、主トレイ１２及び載置トレイ１３上に用紙Ｐを載置したり、主トレイ１２から載置トレイ１３を抜き出して補助トレイ１４を伸展させ、主トレイ１２、載置トレイ１３及び補助トレイ１４上に用紙Ｐを載置したりすることができる。
【００４６】
ところで、特殊な用紙Ｐは、前述されたように、印刷の向きに応じた適正な方向に向けて給紙トレイ１１０にセットする必要があり、例えば、封筒に対して印刷を行う場合、封筒を、フラップが適正な方向に向くように給紙トレイ１１０にセットしないと、あて先等を適正に印刷することができない。
【００４７】
そこで、本実施の形態においては、前記給紙トレイ１１０の所定の箇所に表示部が設定され、該表示部に、用紙Ｐを給紙トレイ１１０にセットする方向、すなわち、セット方向を指示する媒体セット情報としてのマークが表示され、プリンタ１１の操作者に対し、セット方向について注意が促されるようになっている。
【００４８】
次に、載置トレイ１３及び補助トレイ１４の詳細について説明する。
【００４９】
図１は本発明の実施の形態における載置トレイに対して補助トレイを伸展させた状態を示す図、図６は本発明の実施の形態における載置トレイに対して補助トレイを半ば伸展させた状態を示す図、図７は本発明の実施の形態における載置トレイに対して補助トレイを折り畳んだ状態を示す図である。
【００５０】
図において、１３は載置トレイ、１４は補助トレイ、ｓｈ２は補助トレイ１４を載置トレイ１３に対して揺動自在に支持する軸である。
【００５１】
前記載置トレイ１３は、矩形の形状を有する平板部から成り、補助トレイ１４を折り畳んだときに補助トレイ１４を受ける受け部５１、及び該受け部５１の両縁において、所定の高さに立ち上げて形成された立上縁部５２を備え、前記受け部５１及び立上縁部５２によって、折り畳まれた補助トレイ１４を収容する収容部Ｐａが形成される。
【００５２】
また、載置トレイ１３における受け部５１の所定の箇所、本実施の形態においては、受け部５１の幅方向及び長手方向（用紙Ｐの給紙方向）における中央部に、給紙トレイ１１０（図２）への用紙Ｐのセット方向を示すマーク３１が刻印によって表示される。本実施の形態において、前記マーク３１は、フラップが描かれた封筒の画像及び封筒の給紙方向を表す矢印から成る。なお、所定の箇所にプレ印刷が行われている用紙、所定の箇所にミシン目が形成されている用紙等に対して印刷を行う場合には、マーク３１を、プレ印刷部分、ミシン目等が描かれた用紙の画像によって形成することができる。また、マーク３１に代えて、媒体セット情報として、用紙Ｐのセット方向を説明する文字を表示することができる。
【００５３】
なお、前記マーク３１の刻印による表示に代えて、セット方向を指示するマークが印刷されたラベルを貼付することができる。また、機種の異なるプリンタ１１に同じ載置トレイ１３を共通部品として使用する場合において、マーク３１によって表される用紙Ｐのセット方向が異なる場合には、その機種に対応する用紙Ｐのセット方向を指示するマークが印刷されたラベルをマーク３１の上に重ねて貼付することができる。
【００５４】
そして、前記補助トレイ１４は、前記受け部５１よりわずかに小さく形成され、矩形の形状を有する平板から成り、前記載置トレイ１３におけるマーク３１が表示された位置と対応する位置、本実施の形態においては、補助トレイ１４を折り畳み、図７に示されるように、受け部５１と重ねたときに、マーク３１を目視することができる位置に、目視部としての目視孔３２が形成される。
【００５５】
３０は補助トレイ１４における軸ｓｈ２が形成される側と反対側に形成され、半円形の形状を有する切欠きであり、操作者は、切欠き３０に指を当てて、補助トレイ１４を伸展させることができる。
【００５６】
次に、特殊な用紙Ｐに対して印刷を行う場合の前記プリンタ１１の動作について説明する。
【００５７】
まず、用紙Ｐのサイズが、主トレイ１２から載置トレイ１３を引き出した状態で用紙Ｐを給紙トレイ１１０にセットしたときに、用紙Ｐが主トレイ１２及び載置トレイ１３に収まらない程度に大きい場合、操作者は、図３に示されるスイッチ１１１を操作して電源をオンにし、給紙トレイ１１０を図３の矢印Ｂ方向に回動させることによって開き、載置トレイ１３を図４の矢印Ｃ方向に移動させることによって主トレイ１２から引き出し、載置トレイ１３が引き出された状態で、補助トレイ１４を図５の矢印Ｄ方向に回動させることによって載置トレイ１３に対して伸展させる。続いて、操作者は、マーク３１を目視し、マーク３１によって示されるセット方向に向けて用紙Ｐを主トレイ１２、載置トレイ１３及び補助トレイ１４上に載置し、給紙トレイ１１０にセットする。
【００５８】
次に、操作者が、上位装置としての図示されないパソコン等から、プリンタ１１に印刷命令及び印刷データを送信すると、給紙ローラ１５が回転させられ、給紙トレイ１１０にセットされた用紙Ｐが、媒体搬送路Ｒｔ２を介して媒体搬送路Ｒｔ１に給紙され、一時的に停止させられたレジストローラ対１６に突き当てられ、斜行が矯正される。
【００５９】
続いて、レジストローラ対１６が回転させられると、用紙Ｐは図２の矢印Ａ方向に搬送され、転写部ｑ１に送られる。
【００６０】
一方、印刷データが、図示されない印刷制御部において編集されて画像データが生成され、該画像データがＬＥＤヘッド１０６に送られると、該ＬＥＤヘッド１０６は、表面が一様に帯電させられた感光体ドラム１８を露光し、該感光体ドラム１８の表面に、画像データに対応する静電潜像を形成する。そして、前記現像ローラが、静電潜像にトナーを付着させて、感光体ドラム１８上にトナー像を形成する。
【００６１】
続いて、用紙Ｐが転写部ｑ１に到達すると、前記転写ローラ１９に、トナー像の極性と逆の極性の電圧が印加され、感光体ドラム１８上のトナー像が用紙Ｐに転写される。
【００６２】
そして、トナー像が転写された用紙Ｐは、定着器２０に送られ、該定着器２０において、トナー像が加熱され、加圧されて用紙Ｐに定着させられた後、搬送ローラ対２３によって搬送され、排出ローラ対２４によって装置本体外に排出され、スタッカ１０８に積載される。
【００６３】
一方、用紙Ｐのサイズが、主トレイ１２から載置トレイ１３を引き出した状態で用紙Ｐを給紙トレイ１１０にセットしたときに、用紙Ｐが主トレイ１２及び載置トレイ１３に収まる程度に小さい場合、操作者は、給紙トレイ１１０を図３の矢印Ｂ方向に回動させることによって開き、載置トレイ１３を図４の矢印Ｃ方向に移動させることによって主トレイ１２から引き出す。続いて、操作者は、目視孔３２を介してマーク３１を目視し、マーク３１によって示されるセット方向に向けて用紙Ｐを主トレイ１２及び載置トレイ１３上に載置し、給紙トレイ１１０にセットする。
【００６４】
このように、本実施の形態においては、前記給紙トレイ１１０が主トレイ１２、載置トレイ１３及び補助トレイ１４を備え、載置トレイ１３にマーク３１が表示され、補助トレイ１４に目視孔３２が形成されるので、補助トレイ１４を支持位置及び退避位置のいずれに置いても、操作者はマーク３１を目視することができる。したがって、給紙トレイ１１０に対して用紙Ｐを適正にセットすることができる。
【００６５】
また、マーク３１を載置トレイ１３だけに表示すればよいので、プリンタ１１のコストを低くすることができる。
【００６６】
本実施の形態においては、前記補助トレイ１４が、載置トレイ１３に対して揺動自在に支持され、退避位置において載置トレイ１３と重ねられるようになっているが、補助トレイ１４を、載置トレイ１３に対して挿脱自在に支持し、退避位置において載置トレイ１３内に挿入し、支持位置において載置トレイ１３から引き出すようにすることができる。その場合、マーク３１は補助トレイ１４に表示され、目視孔３２は載置トレイ１３に形成される。
【００６７】
また、本実施の形態においては、補助トレイ１４に目視孔３２が形成されるようになっているが、目視孔３２に代えて目視部としての切欠きを形成することができる。
【００６８】
さらに、本実施の形態においては、給紙トレイ１１０が主トレイ１２、載置トレイ１３及び補助トレイ１４の三つのトレイを備えるようになっているが、二つのトレイ、例えば、載置トレイ及び補助トレイだけを備えるようにすることができる。その場合、載置トレイを、装置本体に対して揺動自在に支持して、給紙トレイ１１０の揺動に伴って揺動させることができる。
【００６９】
そして、本実施の形態においては、プリンタ１１について説明しているが、本発明を複写機、ファクシミリ、複合機等の画像形成装置に適用することができる。
【００７０】
なお、本発明は前記実施の形態に限定されるものではなく、本発明の趣旨に基づいて種々変形させることが可能であり、それらを本発明の範囲から排除するものではない。
【符号の説明】
【００７１】
１３    載置トレイ
１４    補助トレイ
１５    給紙ローラ
３１    マーク
３２    目視部
１１０    給紙トレイ
Ｐ    用紙                                                                      Ｒｔ２    媒体搬送路
【図１】
0006313134.tif 000002
【図２】
0006313134.tif 000003
【図３】
0006313134.tif 000004
【図４】
0006313134.tif 000005
【図５】
0006313134.tif 000006
【図６】
0006313134.tif 000007
【図７】
0006313134.tif 000008